(57)【要約】【課題】外部取出口の汚れが直にカードに転写されることがなく、しかもバージン性も確保し易いカード入りパックの機械的販売を可能にし、かつ形体に不安定さがあるカード入りパックを安定して販売できるようにしたカード販売機を提供する。【解決手段】コインストッカー１２にコイン４があるときに操作状態になるハンドル５と、該ハンドル５の操作に連動してケーシング２４からカード入りパック８を１個宛分離し外部取出口６に先端部が現れるように搬出できる搬出体２３と、該搬出体２３から外部取出口６に至る間に設けられパックに接触して可動するパック検出体３０と、該パック検出体３０の可動端３０′に当接して前記ハンドル５を操作不能状態にするストッパ３１と、を設けたものである。【選択図】        図２
2005025644.tif 000002
【特許請求の範囲】
【請求項１】
コインストッカーにコインがあるときに操作状態になるハンドルと、該ハンドルの操作に連動してケーシングからカード入りパックを１個宛分離し外部取出口に先端部が現れるように搬出できる搬出体と、該搬出体から外部取出口に至る間に設けられパックに接触して可動するパック検出体と、該パック検出体の可動端に当接して前記ハンドルを操作不能状態にするストッパと、を設けたことを特徴とするカード販売機。
【発明の詳細な説明】
【０００１】
【発明の属する技術分野】
本発明は、コインを投入してハンドルを操作するとカード入りパックが外部取出口より突出するようにしたカード販売機に関するものである。
【０００２】
【従来の技術】
従来のカード販売機は、コインを投入してハンドルを操作すると帯体で括った複数枚のカードが外部取出口より突出するようになっていた。この帯体で括られたむき出しのカードは、一定の厚みがあり硬い板と同様に扱えるため、コインを投入してハンドルを操作して機械的に取り出すことについて扱い易いという利点があった。
【０００３】
【発明が解決しようとする課題】
しかしながら、帯体で括られたむき出しのカードは、カード販売機の外部取出口はほこり等により汚れていることが多く、その汚れがカードに転写される虞があった。また、帯体で括られたむき出しのカードは、帯体を取り外さなくてもカードの内容を覗くことができるため、バージン性が確保できず、したがって、例えば、機内にカードをセットする業者（オペレーター）によって人気のカードが抜き取られたり、入れ替えられたりする虞もあった。
【０００４】
本発明は、上記問題を解消するためのもので、その目的とするところは、外部取出口の汚れが直にカードに転写されることがなく、しかもバージン性も確保し易いカード入りパックの販売を可能にしたカード販売機を提供することにある。また、他の目的は、帯体で括られた硬い板のような形体安定性の高いものに比して形体に不安定さがあるカード入りパックを安定して販売できるようにしたカード販売機を提供することにある。
【０００５】
【問題を解決するための手段】
上記目的を達成するため、本発明に係るカード販売機は、コインストッカーにコインがあるときに操作状態になるハンドルと、該ハンドルの操作に連動してケーシングからカード入りパックを１個宛分離し外部取出口に先端部が現れるように搬出できる搬出体と、該搬出体から外部取出口に至る間に設けられパックに接触して可動するパック検出体と、該パック検出体の可動端に当接して前記ハンドルを操作不能状態にするストッパと、を設けたことを特徴とし、汚れが転写されない状態でカードの機械的な販売ができるとともに、外部取出口から突出したカード入りパックを取り出さない限り、再びコインを投入してもハンドル操作ができなくなるように構成した。
【０００６】
【発明の実施の形態】
次に、本発明の実施の形態を図面に基づいて説明する。図１は本願カード販売機の外観斜視図、図２はハンドルとコインストッカーとの関係を示す説明図、図３はカード入りパックを１個宛分離して外部取出口に向けて搬出する機構を示す断面図、図４はパック検出体を示す断面図、図５はパック検出体の作動状態を示す断面図、図６はストッパの作用を示す説明図、図７（ａ）、（ｂ）、（ｃ）はカードをパックする手順を示す斜視図である。
【０００７】
本願カード販売機１は、外筐体２のフェイス面２′の上部に設けたコイン投入孔３よりコイン４を投入した後、フェイス面下部に設けたハンドル５を操作すると、該ハンドル５の直ぐ上に開口している外部取出口６よりカード７入りパック８の先端部が突出するようになっている。なお、図中、９は不適正コイン（偽造コインやキャンセルされた真正コイン等）の戻し口、９′はコインのキャンセルボタン、９″はカード入りパック８が後記するケーシング２４内になくなったことを表示するパック切れ表示部、１０はフェイスパネルである。フェイスパネル１０は例えば透明板により取り外し自在に構成し、パック８に封入されている代表的カードや人気キャラクターなどを表示したシート（図示せず）を挟み込めるようになっている。
【０００８】
前記コイン投入孔３より投入したコイン４は、図２の如く、適正コインを通過させるコインセレクター機構１１を経てコインストッカー１２に導入される。該コインストッカー１２はコイン４を受領するコイン検出器１２′を備え、該コイン検出器１２′は支軸１３を中心に矢印Ａ方向（右方向）に可動し、その可動端に植設されたピン１４が、前記ハンドル５にギア連係された回転体１５の外周枠内縁に形成されたカム１６の作用域から逃げるようになっている。換言すれば、コイン投入孔３より投入したコイン４がコインストッカー（コイン検出器１２′に受領されている）１２にあるときはハンドル５は操作可能になる一方、コインストッカー１２にコイン４がないときは前記ピン１４に前記カム１６が当接してハンドル５が回らないようになっている。
【０００９】
前記回転体１５はその外周枠外面に設けたラチェット１５′に係止している爪片１７の作用により矢印Ｂ方向へのみ回転可能になっている。即ち、ハンドル５を矢印Ｃ方向に回したときに、ベベルギア１８、１８′、ギア１９、２０、２１及び２２を経て順次矢印のように伝達される一方、ハンドル５はこれとは逆（矢印Ｃ′方向）には回しても回らないようになっている。
【００１０】
前記ハンドル５を矢印Ｃ方向に回すように操作すると、これに連動して搬出体２３が矢印Ｄ方向に回転する。これによりケーシング２４内に積層・収納されたカード入りパック８が１個宛分離されて外部取出口６に向けて搬出されるようになっている。この搬出体２３は図示の例ではハンドル５にそれぞれ連係回転できる２つのゴムローラにより構成しているが、コンベアーベルトにより構成してもよい。なお、前記搬出体２３は、図示の例では、カード入りパック８を積層・収納したケーシング２４の底部に設置され、カード入りパック８をケーシング２４の下から順に送り出せるようになっている。これはケーシング２４からカードパックを搬出する機構を簡易化するために有効である。
【００１１】
前記カード入りパック８を１個宛分離するための分離機構２５は、図３の如く調整ネジ２５ａを回転させることによりケーシング２４の可動壁２４′を上下動させてパック８の通口２６を広狭できるようになっている。換言すれば、カード入りパック８の厚さ（カードの収容枚数により変化する）に合わせて通口２６の開口量を調整できるようにしている。
【００１２】
前記ケーシング２４の通口２６から外部取出口６に至る搬出路２７内には出口寄りと中間部との２個所に、図３の如く、シャッター２８、２８′が揺動可能に垂下されている。該シャッター２８、２８′はカード入りパック８が突出する方向には揺動するが、逆方向には搬出路２７の底部に設けた段部に当たって揺動しないようになっている。これは外部取出口６から搬出路２７内に手指や棒などが挿入される悪戯を有効に防止するためである。
【００１３】
前記搬出体２３から外部取出口６に至る間には、パック８を二重に突出させることを禁止する機構（以下単に「二重突出禁止機構」という）２９が設けられている。この二重突出禁止機構２９は、図４及び図５の如く、パック８に接触して可動するパック検出体３０と、該パック検出体３０の可動端３０′に当接して前記ハンドル５を操作不能状態にするストッパ３１が設けられている。
【００１４】
前記パック検出体３０は、前記搬出路２７の底部に支軸３０ａ′を介して可動可能に設けた第１可動体３０ａと、該第１可動体３０ａをバネ３２の作用で突き上げている第２可動体３０ｂとからなり、該第２可動体３０ｂは、前記ストッパ３０の作用域まで突出する可動端３０′を持っている。
【００１５】
上記本願カード販売機１に適用するカード入りパック８は、図７の如く、カード７をピロパックし、該ピロパックの先端部８′を凸円弧状に断裁したものである。前記ピロパックは、カードの包装方法の一つであるが、図７（ａ）の如く包材３３を展開し、その上に必要な枚数のカード７を供給した後、同（ｂ）の如くカード７を中心に包材３３の左右縁３３′、３３″を筒状にしつつ合掌状に合わせて溶着し、しかる後、同（ｃ）の如く先端部８′を凸円弧状、後端部８″を凹円弧状に溶断して完成する。このピロパックはパックコストが安く、先端部が溶断と同時に凸円弧状に形成できるため、カード入りパックの搬出作動がスムーズになる点で好ましものである。勿論、本願カード販売機１に適用するカード入りパック８はこれ以外の包装方法により得たものであってもよい。
【００１６】
次に、本願カード販売機１の作用について説明する。まず、コイン投入孔３よりコイン４を投入する。コインストッカー１２にコイン４が受領されると、ハンドル５は操作可能になり、これに連動して搬出体２３が作動し、ケーシング２４内に積層・収納されたカード入りパック８が１個宛分離され、外部取出口６に向けて搬出される。この搬出路２７内には図４の如く、第１可動体３０ａがあり、これが図５の如くパック８に接して可動すると、第２可動体３０ｂはバネ３２に抗して押し下げられ、その可動端３０′をストッパ３１の作用域まで突入させることとなる。
【００１７】
前記可動端３０′がストッパ３１の作用域に突入するタイミングは、図６の実線の如く、ハンドル５の回転と一体に回転するストッパ３１の通過後となる。従って、ハンドル５のストッパ３１が、図６の一点鎖線の如く次に可動端３０′に当接するまでの間、回転を継続し、カード入りパック８の先端部を外部取出口６の口端より突出させる。しかして、外部取出口６にあるカード入りパック８を抜き取ると、前記バネ３２の作用により第２可動体３０ｂが上動し、可動端３０′がストッパ３０の作用域から逃げるため、パック検出体３０は平時の状態（図４の状態）に戻る。
【００１８】
一方、外部取出口６にあるカード入りパック８を抜き取らない状態では、コイン投入孔３よりコイン４を投入し、該コイン４がコインストッカー１２に受領されたとしても、この状態は、図６の一点鎖線の如く、パック検出体３０の可動端３０′にストッパ３１が当接している状態であり、ハンドル５は回らず、パック８は二重突出が禁止されることとなる。
【００１９】
なお、本願カード販売機１で販売しようとするカードのパック８は、好ましくはアルミを蒸着したプラスチック材料のような不透明な材料で構成するが、透明或いは着色透明の材料であってもよい。また、カード入りパックはオペレータにより定期的に補給されるし、販売時の単価（投入コインの種類及び枚数）については自由に決定してよい。
【００２０】
【発明の効果】
以上の如く、本発明に係るカード販売機は、コインストッカーにコインがあるときに操作状態になるハンドルと、該ハンドルの操作に連動してケーシングからカード入りパックを１個宛分離し外部取出口に先端部が現れるように搬出できる搬出体と、該搬出体から外部取出口に至る間に設けられパックに接触して可動するパック検出体と、該パック検出体の可動端に当接して前記ハンドルを操作不能状態にするストッパと、を設けたことを特徴としているから、汚れが転写されない状態でカードの機械的な販売ができる。また、外部取出口から突出したカード入りパックを取り出さない限り、再びコインを投入してもハンドル操作ができなくなるという二重突出禁止作動が働き、形体の不安定なカード入りパックを外部取出口に詰らせることなく安定して販売できるなど、各種の優れた効果を奏するものである。
【図面の簡単な説明】
【図１】本願カード販売機の外観斜視図である。
【図２】ハンドルとコインストッカーとの関係を示す説明図である。
【図３】カードパックを１個宛分離して外部取出口に向けて搬出する機構を示す断面図である。
【図４】パック検出体を示す断面図である。
【図５】パック検出体の作動状態を示す断面図である。
【図６】ストッパの作用を示す説明図である。
【図７】（ａ）、（ｂ）、（ｃ）はカードをパックする手順を示す斜視図である。
【符号の説明】
１  本願カード販売機
２  外筐体
２′  フェイス面
３  コイン投入孔
４  コイン
５  ハンドル
６  外部取出口
７  カード
８  パック
９  戻し口
９′  キャンセルボタン
９″  パック切れ表示部
１０  フェイスパネル
１１  コインセレクター機構
１２  コインストッカー
１２′  コイン検出器
１３  支軸
１４  ピン
１５  回転体
１５′  ラチェット
１６  カム
１７  爪片
１８、１８′  ベベルギア
１９、２０、２１、２２  ギア
２３  搬出体
２４  ケーシング
２４′  可動壁
２５  分離機構
２５ａ  調整ネジ
２６  パック通口
２７  搬出路
２８、２８′  シャッター
２９  二重突出禁止機構
３０  パック検出体
３０′  可動端
３１  ストッパ
３０ａ  第１可動体
３２  バネ
３０ｂ  第２可動体
３３  包材
【図１】
2005025644.tif 000003
【図２】
2005025644.tif 000004
【図３】
2005025644.tif 000005
【図４】
2005025644.tif 000006
【図５】
2005025644.tif 000007
【図６】
2005025644.tif 000008
【図７】
2005025644.tif 000009